(57)【特許請求の範囲】
【請求項１】
外部からのアクセスを制御する制御部と記憶媒体とを備えた基本記憶装置に、記憶媒体を増設する増設記憶装置を接続して構成される記憶装置であって、
前記増設記憶装置は、
前記基本記憶装置から、自装置に作動の停止を要求する旨の第１の作動停止要求を受け付ける第一要求受付手段と、
自装置の操作入力部から、自装置の作動の停止を要求する旨の第２の作動停止要求を受け付ける第二要求受付手段と、
上位装置である前記基本記憶装置または他の前記増設記憶装置からの通信を監視する通信監視手段と、
前記通信監視手段による監視の結果、前記通信がない状態が一定時間以上続いており、かつ、前記第二要求受付手段が前記第２の作動停止要求を受け付けた場合には、該第２の作動停止要求を有効と判定し、前記通信監視手段による監視の結果、前記通信状態がない状態が一定時間以上続いておらず、かつ、第二要求受付手段が前記第２の作動停止要求を受け付けた場合には、該第２の作動停止要求を無効と判定する判定手段と、
前記第一要求受付手段が第１の作動停止要求を受け付けた場合、または、前記判定手段によって第２の作動停止要求が有効であると判定された場合には、自装置の作動停止処理を行う作動停止処理手段と
を備えることを特徴とする記憶装置。
【請求項２】
前記通信監視手段による監視結果に基づいて、上位装置である前記基本記憶装置または他の前記増設記憶装置からの通信がない状態が一定時間以上続いた場合には、前記基本記憶装置に対して応答要求を行う応答要求手段をさらに備え、
前記判定手段は、前記応答要求手段による応答要求の結果、前記基本記憶装置からの応答がない場合に、前記第二要求受付手段が受け付けた第２の作動停止要求を有効と判定することを特徴とする請求項１に記載の記憶装置。
【請求項３】
前記通信監視手段は、前記制御部から所定のタイミングで送信されるコマンドの受信状況を監視し、
前記判定手段は、前記通信監視手段による監視の結果、前記コマンドが受信されなかった場合に、前記第二要求受付手段が受け付けた第２の作動停止要求を有効と判定することを特徴とする請求項１または２に記載の記憶装置。
【請求項４】
外部からのアクセスを制御する制御部と記憶媒体とを備えた基本記憶装置に、記憶媒体を増設する増設記憶装置を接続して構成される記憶装置において作動中の前記増設記憶装置を停止する停止方法であって、
前記増設記憶装置は、
前記基本記憶装置から、自装置に作動の停止を要求する旨の第１の作動停止要求を受け付ける第一要求受付工程と、
自装置の操作入力部から、自装置の作動の停止を要求する旨の第２の作動停止要求を受け付ける第二要求受付工程と、
上位装置である前記基本記憶装置または他の前記増設記憶装置からの通信を監視する通信監視工程と、
前記通信監視工程による監視の結果、前記通信がない状態が一定時間以上続いており、かつ、前記第二要求受付工程によって前記第２の作動停止要求が受け付けられた場合には、該第２の作動停止要求を有効と判定し、前記通信監視工程による監視の結果、前記通信状態がない状態が一定時間以上続いておらず、かつ、第二要求受付工程によって前記第２の作動停止要求が受け付けられた場合には、該第２の作動停止要求を無効と判定する判定工程と、
前記第一要求受付工程によって第１の作動停止要求が受け付けられた場合、または、前記判定工程によって第２の作動停止要求が有効であると判定された場合には、自装置の作動停止処理を行う作動停止処理工程と
を含んだことを特徴とする停止方法。
【発明の詳細な説明】
【技術分野】
【０００１】
この発明は、外部からのアクセスを制御する制御部と記憶媒体とを備えた基本記憶装置に、記憶媒体を増設する増設記憶装置を接続して構成される記憶装置、並びに、当該記憶装置において作動中の増設記憶装置を停止する停止方法に関する。
【背景技術】
【０００２】
従来、外部からのアクセスを制御する制御部と記憶媒体とを備えた基本記憶装置に、記憶媒体を増設する増設記憶装置を接続して大容量を実現する記憶装置が利用されている。
【０００３】
上記した基本記憶装置や増設記憶装置は、それぞれ個別の筐体として成り立っているので、電源管理についても個別に行うことが一般的であった。
【０００４】
それに対して、特許文献１では、基本記憶装置に増設記憶装置の電源管理を行う機能を持たせ、基本記憶装置が自装置および増設記憶装置の電源を一元管理する技術が開示されている。この技術によれば、例えば、ユーザが基本記憶装置の停止ボタンを押せば、作動中の基本記憶装置が停止するとともに、作動中の増設記憶装置も停止する。
【０００５】
この技術により、作動中の複数の増設記憶装置を停止する場合に、ユーザが各増設記憶装置の停止ボタンを押す手間が省け、操作性を向上する効果が得られる。また、ユーザの誤操作などによって、外部からアクセスされている途中に増設記憶装置を停止してしまい、記憶装置に障害が発生するのを防ぐ効果も得られる。
【０００６】
さらに、この技術を拡張すれば、起動ボタンや停止ボタンを具備しない増設記憶装置を接続した記憶装置を実現することができる。こうすることによって、増設記憶装置に起動ボタンや停止ボタンを備えるのに掛かるコストを抑える効果が期待できるし、増設記憶装置に対する誤操作そのものをなくす効果も期待できる。
【０００７】
【特許文献１】特開２００１−３３９８５３号公報
【発明の開示】
【発明が解決しようとする課題】
【０００８】
しかしながら、基本記憶装置が電源の一元管理をすることとなると、基本記憶装置が故障した場合に、作動中の増設記憶装置の停止ができなくなるという課題がある。
【０００９】
そこで、この発明は、基本記憶装置が故障した場合であっても、作動中の増設記憶装置を停止することが可能な記憶装置を提供することを目的とする。
【課題を解決するための手段】
【００１０】
上述した課題を解決し、目的を達成するため、本発明は、外部からのアクセスを制御する制御部と記憶媒体とを備えた基本記憶装置に、記憶媒体を増設する増設記憶装置を接続して構成される記憶装置であって、前記増設記憶装置は、前記基本記憶装置から、自装置に作動の停止を要求する旨の第１の作動停止要求を受け付ける第一要求受付手段と、自装置の操作入力部から、自装置の作動の停止を要求する旨の第２の作動停止要求を受け付ける第二要求受付手段と、上位装置である前記基本記憶装置または他の前記増設記憶装置からの通信を監視する通信監視手段と、前記通信監視手段による監視の結果、前記通信がない状態が一定時間以上続いており、かつ、前記第二要求受付手段が前記第２の作動停止要求を受け付けた場合には、該第２の作動停止要求を有効と判定し、前記通信監視手段による監視の結果、前記通信状態がない状態が一定時間以上続いておらず、かつ、第二要求受付手段が前記第２の作動停止要求を受け付けた場合には、該第２の作動停止要求を無効と判定する判定手段と、前記第一要求受付手段が第１の作動停止要求を受け付けた場合、または、前記判定手段によって第２の作動停止要求が有効であると判定された場合には、自装置の作動停止処理を行う作動停止処理手段とを備えることを特徴とする。
【００１２】
また、本発明は、前記通信監視手段による監視結果に基づいて、上位装置である前記基本記憶装置または他の前記増設記憶装置からの通信がない状態が一定時間以上続いた場合には、前記基本記憶装置に対して応答要求を行う応答要求手段をさらに備え、前記判定手段は、前記応答要求手段による応答要求の結果、前記基本記憶装置からの応答がない場合に、前記第二要求受付手段が受け付けた第２の作動停止要求を有効と判定することを特徴とする。
【００１３】
また、本発明は、前記通信監視手段は、前記制御部から所定のタイミングで送信されるコマンドの受信状況を監視し、前記作動停止処理手段は、前記判定手段による監視の結果、前記コマンドが受信されなかった場合に、前記第二要求受付手段が受け付けた第２の作動停止要求を有効と判定することを特徴とする。
【００１４】
また、本発明は、外部からのアクセスを制御する制御部と記憶媒体とを備えた基本記憶装置に、記憶媒体を増設する増設記憶装置を接続して構成される記憶装置において作動中の前記増設記憶装置を停止する停止方法であって、前記増設記憶装置は、前記基本記憶装置から、自装置に作動の停止を要求する旨の第１の作動停止要求を受け付ける第一要求受付工程と、自装置の操作入力部から、自装置の作動の停止を要求する旨の第２の作動停止要求を受け付ける第二要求受付工程と、上位装置である前記基本記憶装置または他の前記増設記憶装置からの通信を監視する通信監視工程と、前記通信監視工程による監視の結果、前記通信がない状態が一定時間以上続いており、かつ、前記第二要求受付工程によって前記第２の作動停止要求が受け付けられた場合には、該第２の作動停止要求を有効と判定し、前記通信監視工程による監視の結果、前記通信状態がない状態が一定時間以上続いておらず、かつ、第二要求受付工程によって前記第２の作動停止要求が受け付けられた場合には、該第２の作動停止要求を無効と判定する判定工程と、前記第一要求受付工程によって第１の作動停止要求が受け付けられた場合、または、前記判定工程によって第２の作動停止要求が有効であると判定された場合には、自装置の作動停止処理を行う作動停止処理工程とを含んだことを特徴とする。
【発明の効果】
【００１５】
本発明によれば、基本記憶装置から自装置に対して出力された作動停止要求とは異なる第２の作動停止要求を受け付ける。上流側に接続された基本記憶装置または他の増設記憶装置からの通信を監視し、その監視結果に基づいて第２の作動停止要求の有効無効を判定する。そして、有効な第２の作動停止要求を受け付けた場合には、自装置の作動停止処理を行う。こうすることによって、基本記憶装置の故障時には第２の作動停止要求を有効にし、当該有効な第２の作動停止の要求を受け付けた場合には、作動中の増設記憶装置を停止する。こうすることによって、基本記憶装置が故障した場合であっても、作動中の増設記憶装置を停止することが可能となる。
【００１６】
また、本発明によれば、上流側に接続された基本記憶装置または他の増設記憶装置からの通信がない状態が一定時間以上続いたか否かを監視し、監視の結果、通信がない状態が一定時間以上続いた場合に、第２の作動停止要求を有効と判定する。こうすることによって、通信がない状態が一定時間以上続いた場合には、基本記憶装置に対して応答を促し、応答結果に基づいて基本記憶装置が故障しているか判断する手法と比較して、増設記憶装置の処理負担を少なくした上で作動中の増設記憶装置を停止することが可能となる。
【００１７】
また、本発明によれば、監視結果に基づいて、上流側に接続された基本記憶装置または他の増設記憶装置からの通信がない状態が一定時間以上続いた場合には、基本記憶装置に対して応答要求を行う。当該応答要求の結果、基本記憶装置からの応答がない場合に、第２の作動停止要求を有効と判定する。こうすることによって、通信がない状態が一定時間以上続けば基本記憶装置が故障しているものと判定する手法と比較して、基本記憶装置が故障状態であるという判定結果をより確実にした上で作動中の増設記憶装置を停止することが可能となる。
【００１８】
また、本発明によれば、制御部から所定のタイミングで送信されるコマンドの受信状況を監視し、監視の結果、コマンドが受信されなかった場合に、第２の作動停止要求を有効と判定する。こうすることによって、通信がない状態が一定時間以上続けば基本記憶装置が故障しているものと判定する手法と比較して、基本記憶装置が故障状態であるという判定結果をより確実にした上で作動中の増設記憶装置を停止することが可能となる。
【発明を実施するための最良の形態】
【００１９】
以下に添付図面を参照して、この発明に係る記憶装置の好適な実施の形態を詳細に説明する。
【実施例１】
【００２０】
［記憶装置の構成］
図１は、実施例１に係る記憶装置の構成を示すブロック図である。同図に示すように、記憶装置１０は、基本記憶装置２０と、第１増設記憶装置３０と、第２増設記憶装置３１と、第３増設記憶装置３２とを接続して構成される。各増設記憶装置は、必ずしも３つでなくてもよく、容量に応じて適宜接続され、記憶装置１０の大容量を実現する。ユーザは、基本記憶装置２０が備える記憶媒体と、増設された各増設記憶装置が備える記憶媒体とに対するデータの読み書きが可能である。この外部からのアクセスについては、基本記憶装置２０が制御し、一元管理する。
【００２１】
また、記憶装置１０内の、ある増設記憶装置より基本記憶装置２０側に接続された装置を、当該ある増設記憶装置にとって上流側の装置であると定義する。例えば、第１増設記憶装置３０にとって基本記憶装置２０は、上流側の装置である。また、例えば、第２増設記憶装置３１にとって基本記憶装置２０または第１増設記憶装置３０は、上流側の装置である。
【００２２】
以下に、基本記憶装置２０および増設記憶装置の構成について、基本記憶装置２０、増設記憶装置の順に説明を行う。なお、増設記憶装置の構成については、第１増設記憶装置３０、第２増設記憶装置３１および第３増設記憶装置３２ともに同様であるので、第１増設記憶装置３０を代表にして説明を行う。
【００２３】
［基本記憶装置の構成］
図１に示すように、基本記憶装置２０は、記憶部４０と、起動／停止ボタン５０と、総合管理部６０と、アクセス処理部７０と、接続切替部８０と、を備える。
【００２４】
記憶部４０は、所定のデータを格納する記憶媒体である。上記したように、記憶部４０の容量が足りなくなった場合などに、増設記憶装置が接続され、当該増設記憶装置が備える記憶媒体によって補う。
【００２５】
起動／停止ボタン５０は、ユーザから基本記憶装置２０の起動や停止の要求を受け付ける。具体的には、起動／停止ボタン５０は、ユーザに操作されると、所定の制御信号（起動要求の信号または停止要求の信号）を後述する総合管理部６０の起動／作動停止処理部６１に出力する。
【００２６】
総合管理部６０は、記憶装置１０全体を管理する処理部であり、特に本発明に密接に関連するものとしては、起動／作動停止処理部６１を備える。総合管理部６０は、起動／作動停止処理部６１によって各増設記憶装置の起動や停止を管理するほか、所定の制御信号を用いて各増設記憶装置の種々の項目（例えば、温度が一定に保たれているかなど）を管理する。なお、その場合には、総合管理部６０は、管理対象となる増設記憶装置の管理部まで制御信号を送信するため、各接続切替部に対して送信経路を調えるよう指示する。そして、所定の送信経路を確保した後、制御信号を送信する。
【００２７】
起動／作動停止処理部６１は、基本記憶装置２０の起動および停止に係る処理を行うとともに、接続された各増設記憶装置の起動および停止を制御する。具体的には、起動／作動停止処理部６１は、起動／停止ボタン５０から出力された起動要求信号を受け取ると、基本記憶装置２０を起動し、各増設記憶装置に起動要求信号を送信する。また、起動／作動停止処理部６１は、起動／停止ボタン５０から出力された停止要求信号を受け取ると、作動中の基本記憶装置２０を停止し、各増設記憶装置に停止要求信号を送信する。
【００２８】
アクセス処理部７０は、記憶装置１０に対する外部からのアクセスを制御する。具体的には、アクセス処理部７０は、外部からデータの書き込み要求を受け付けると、書き込みの対象となる記憶部へのアクセスを可能にするため、各接続切替部に対して経路を調えるよう指示する。そして、経路が調った後、外部から記憶部へデータが書き込まれる。
【００２９】
接続切替部８０は、総合管理部６０やアクセス処理部７０に制御され、制御信号やデータが送信可能となるように経路を調える。
【００３０】
[増設記憶装置の構成]
つぎに、同図を用いて第１増設記憶装置３０の構成を説明する。第１増設記憶装置３０は、記憶部９０と、停止ボタン１００と、管理部１１０と、接続切替部１５０と、を備える。
【００３１】
記憶部９０は、所定のデータを格納する媒体である。上記したように、記憶部４０の容量が足りなくなった場合などに、当該記憶部９０によって補う。
【００３２】
停止ボタン１００は、ユーザから第１増設記憶装置３０の停止の要求を受け付ける。具体的には、停止ボタン１００は、ユーザに操作されると、後述する管理部１１０の作動停止指示第二受付部１１５に停止要求の信号を出力する。
【００３３】
管理部１１０は、第１増設記憶装置３０の状態を管理する処理部であり、特に本発明に密接に関連するものとしては、作動停止指示第二受付部１１５と、作動停止処理部１２０と、起動処理部１２５と、作動停止指示第一受付部１３０と、通信状況監視部１４０と、を備える。なお、作動停止指示第二受付部１１５は、特許請求の範囲に記載の「第二要求受付手段」に対応し、作動停止処理部１２０は、同じく「作動停止処理手段」に対応し、作動停止指示第一受付部１３０は、同じく「第一要求受付手段」に対応し、通信状況監視部１４０は、同じく「通信監視手段」に対応する。
【００３４】
ところで、管理部１１０は、例えば、装置の温度が異常値を示した場合など（その他、種々の管理項目がある）に、総合管理部６０に所定の制御信号を用いて異常状態であることを通知する。なお、その場合には、管理部１１０は、総合管理部６０まで制御信号を送信するため、各接続切替部に対して送信経路を調えるよう指示する。そして、所定の送信経路を確保した後、制御信号を送信する。
【００３５】
起動処理部１２５は、第１増設記憶装置３０の起動に係る処理を行う。具体的には、起動／作動停止処理部６１によって送信された起動要求信号を接続切替部８０および接続切替部１５０を介して受け取ると、第１増設記憶装置３０を起動する。
【００３６】
作動停止指示第一受付部１３０は、基本記憶装置２０から自装置に対して送信された第１の停止要求信号を受け付ける。具体的には、作動停止指示第一受付部１３０は、起動／作動停止処理部６１によって送信された停止要求信号を、接続切替部８０および接続切替部１５０を介して受け取る。そして、作動停止処理部１２０に当該受け取った停止要求信号を出力する。
【００３７】
作動停止指示第二受付部１１５は、作動停止指示第一受付部１３０が受け付ける第１の停止要求信号とは異なる第２の停止要求信号を受け付ける。具体的には、作動停止指示第二受付部１１５は、停止ボタン１００から出力された停止要求信号を第２の停止要求信号として受け取り、作動停止処理部１２０に出力する。
【００３８】
通信状況監視部１４０は、上流側に接続された基本記憶装置２０または他の増設記憶装置からの通信を監視する。具体的には、通信状況監視部１４０は、基本記憶装置２０の総合管理部６０から所定のタイミングで送信される制御信号の受信状況を監視する。
【００３９】
ここで、図２および図３を用いて、基本記憶装置２０の総合管理部６０から所定のタイミングで送信される制御信号について説明する。なお、図２および図３は、作動中の２装置間で行われる処理の例を説明するための図である。
【００４０】
図２に示すように、管理部１１０は、第１増設記憶装置３０に所定のイベントが発生すると、基本記憶装置２０に対してイベント発生を通知する。なお、所定のイベントとは、例えば、第１増設記憶装置３０の温度や、第１増設記憶装置３０を構成する筐体に備えられたファンの回転数や、所定の素子にかかる電圧などが異常値になることである。
【００４１】
そして、基本記憶装置２０の総合管理部６０は、イベント発生の通知を受け取ると、詳細情報取得コマンドを送信する。なお、かかる詳細情報取得コマンドが所定のタイミングで送信される制御信号の一例である。
【００４２】
そして、管理部１１０は、当該詳細情報取得コマンドを受信すると、第１増設記憶装置３０の温度などを示す詳細情報を生成して基本記憶装置２０に送信する。
【００４３】
また、図３に示すように、管理部１１０は、第１増設記憶装置３０内の所定の記憶部（図示しない）に格納されるログが一定数を超えると、基本記憶装置２０に対してログの採取を要求する。なお、ログとは、例えば、第１増設記憶装置３０の記憶部９０がアクセスされた日時など、第１増設記憶装置３０の変化に対して管理部１１０が行う記録である。
【００４４】
そして、基本記憶装置２０の総合管理部６０は、ログ採取の要求を受け取ると、ログ採取コマンドを送信する。なお、かかるログ採取コマンドが所定のタイミングで送信される制御信号の一例である。
【００４５】
そして、管理部１１０は、当該ログ採取コマンドを受信すると、ログ情報を読み出して基本記憶装置２０に送信する。
【００４６】
以上のように、通信状況監視部１４０は、基本記憶装置２０の総合管理部６０から所定のタイミングで送信される制御信号の受信状況を監視する。なお、各増設記憶装置は、かかる制御信号を、必ずしも基本記憶装置２０から直接受信するものとは限らない。例えば、第２増設記憶装置３１や第３増設記憶装置３２は、図１に示すように接続されるので、他の増設記憶装置を経由して制御信号を受信する。つまり、第２増設記憶装置３１は、総合管理部６０から送信された制御信号を第１増設記憶措置３０から受信する。
【００４７】
制御信号の受信状況を監視した結果、通信状況監視部１４０は、受信すべきタイミングで制御信号を受信しない場合には、作動停止処理部１２０に所定の制御信号を出力する。
【００４８】
作動停止処理部１２０は、作動停止指示第一受付部１３０が第１の停止要求信号を受け付けた場合に、第１増設記憶装置３０の作動停止処理を行う。
【００４９】
つまり、作動停止指示第一受付部１３０が受け付けた停止要求信号とは、基本記憶装置２０の起動／作動停止処理部６１から送信された停止要求信号である。
【００５０】
作動停止処理部１２０は、かかる停止要求信号を受け付けた場合には、無条件に第１増設記憶装置３０の作動停止処理を行う。
【００５１】
また、作動停止処理部１２０は、通信状況監視部１４０による監視結果に基づいて作動停止指示第二受付部１１５が受け付けた第２の停止要求信号の有効無効を判定し、作動停止指示第二受付部１１５が有効な第２の停止要求信号を受け付けた場合に、第１増設記憶装置３０の作動停止処理を行う。
【００５２】
つまり、作動停止指示第二受付部１１５が受け付けた第２の停止要求信号とは、停止ボタン１００から出力された停止要求信号である。
【００５３】
作動停止処理部１２０は、通信状況監視部１４０が出力する所定の制御信号を受信するまで、かかる第２の停止要求信号については無効とする。この状態でユーザが停止ボタン１００を押しても、作動中の第１増設記憶装置３０が停止することはない。
【００５４】
ところが、作動停止処理部１２０は、通信状況監視部１４０が出力する所定の制御信号を受信すると、基本記憶装置２０が故障状態であると判定し、それ以降はかかる第２の停止要求信号を有効とする。この状態でユーザが停止ボタン１００を押せば、作動中の第１増設記憶装置３０が停止する。
【００５５】
接続切替部１５０は、管理部１１０やアクセス処理部７０に制御され、制御信号やデータが送信可能となるように経路を調える。
【００５６】
［増設記憶装置による処理］
つぎに、増設記憶装置の起動および停止に着目し、増設記憶装置の起動および停止に係る処理動作について図４のフローチャートを参照して説明する。なお、図４は、増設記憶装置の起動および停止に係る処理の流れを示すフローチャートである。
【００５７】
同図に示すように、増設記憶装置は、基本記憶装置２０から起動要求信号を受け取り（ステップＳ１１０）、自装置を起動する（ステップＳ１２０）。
【００５８】
そして、増設記憶装置は、作動中、常に基本記憶装置２０が故障状態にあるか否かを判定する故障判定処理を行う（ステップＳ１３０）。
【００５９】
増設記憶装置は、基本記憶装置２０が故障状態であると判定しない間は（ステップＳ１４０否定）、基本記憶装置２０から停止要求信号を受け取ると（ステップＳ１５０肯定）、自装置を停止する（ステップＳ１８０）。
【００６０】
ステップＳ１４０に戻って、増設記憶装置は、基本記憶装置２０が故障状態であると判定した場合には（ステップＳ１４０肯定）、第２の停止要求信号を有効なものとする（ステップＳ１６０）。
【００６１】
そして、増設記憶装置は、停止ボタン１００が操作されることで第２の停止要求信号を受け取ると（ステップＳ１７０肯定）、自装置を停止して（ステップＳ１８０）、処理を終了する。
【００６２】
つぎに、図４にステップＳ１３０として示した故障判定処理についてさらに説明する。図５、図６、図７および図８は、故障判定処理の流れの一例を示すフローチャートである。
【００６３】
図５に示すように、増設記憶装置は、起動時に基本記憶装置２０が送信する初期設定情報を受信しない場合に（ステップＳ１９０否定）、基本記憶装置２０が故障状態であると判定する（ステップＳ２００）。なお、初期設定情報とは、上記した詳細情報取得コマンドやログ採取コマンドと同様、所定のタイミングで送信される制御信号の一例である。初期設定情報は、例えば、増設記憶装置を識別するための情報や、時刻設定のための情報などを含む。
【００６４】
また、図６に示すように、増設記憶装置は、自装置にイベントが発生した場合には（ステップＳ２１０肯定）、基本記憶装置２０に対してイベント発生を通知する（ステップＳ２２０）。
【００６５】
そして、増設記憶装置は、基本記憶装置２０から詳細情報取得コマンドを受信しない場合には（ステップＳ２３０否定）、基本記憶装置２０が故障状態であると判定する（ステップＳ２４０）。なお、増設記憶装置は、詳細情報取得コマンドを受信すれば（ステップＳ２３０肯定）、詳細情報を送信する（ステップＳ２５０）。
【００６６】
また、図７に示すように、増設記憶装置は、ログが一定数を超えた場合には（ステップＳ２６０肯定）、基本記憶装置２０に対してログ採取を要求する（ステップＳ２７０）。
【００６７】
そして、増設記憶装置は、基本記憶装置２０からログ採取コマンドを受信しない場合には（ステップＳ２８０否定）、基本記憶装置２０が故障状態であると判定する（ステップＳ２９０）。なお、増設記憶装置は、ログ採取コマンドを受信すれば（ステップＳ２８０肯定）、ログ情報を送信する（ステップＳ３００）。
【００６８】
また、図８に示すように、増設記憶装置は、基本記憶装置２０との間に通信がない状態が一定時間以上続いた場合には（ステップＳ３１０肯定）、基本記憶装置２０に対して所定の方法で応答を要求する（ステップＳ３２０）。なお、この応答の要求については、例えば、ログ採取の要求など、基本記憶装置２０が応答するものであればいかなるものであってよい。
【００６９】
そして、増設記憶装置は、基本記憶装置２０から所定のコマンドを受信しない場合には（ステップＳ３３０否定）、基本記憶装置２０が故障状態であると判定する（ステップＳ３４０）。なお、増設記憶装置は、所定のコマンドを受信すれば（ステップＳ３３０肯定）、所定の情報を送信する（ステップＳ３５０）。
【００７０】
［実施例１の効果］
上記したように、実施例１によれば、増設記憶装置では、基本記憶装置から増設記憶装置に対して出力された作動停止要求とは異なる第２の作動停止要求も受け付ける。増設記憶装置は、上流側に接続された基本記憶装置または他の増設記憶装置からの通信を監視する。監視の結果、基本記憶装置が故障状態であると判定した場合には、第２の作動停止要求を有効とする。そして、増設記憶装置は、以降第２の作動停止要求を受け付けると、自装置の作動停止処理を行う。こうすることによって、基本記憶装置が故障した場合であっても、作動中の増設記憶装置を停止することが可能となる。
【実施例２】
【００７１】
さて、これまで本発明の実施例について説明したが、本発明は上述した実施例以外にも、種々の異なる形態にて実施されてよいものである。そこで、以下に示すように、（１）〜（５）にそれぞれ区分けして異なる実施例を説明する。
【００７２】
（１）故障判定処理
上記の実施例では、故障判定処理の一例として、基本記憶装置との間に通信がない状態が一定時間以上継続するか否かを監視するものを説明した。この故障判定処理では、一定時間以上継続した場合に、基本記憶装置に対して所定の方法で応答を要求し、応答結果に基づいて基本記憶装置の故障状態を判定するものとしたが、本発明はこれに限定されるものではなく、基本記憶装置との間に通信がない状態が一定時間以上続いた時点で、基本記憶装置を故障状態であると判定するようにしてもよい。
【００７３】
（２）作動停止処理
上記の実施例では、第２の停止要求信号を有効とした後に、当該有効な第２の停止要求信号を受け付けることで増設記憶装置を停止するものとして説明したが、本発明はこれに限定されるものではなく、第２の停止要求信号を有効とした後、有効な第２の停止要求信号を受け付けなくとも、所定時間が経過した場合には、増設記憶装置を停止するようにしてもよい。
【００７４】
（３）第２の停止要求信号の有効の継続
上記の実施例では、一旦基本記憶装置が故障状態であると判定すれば、それ以降、第２の停止要求信号の有効が継続されるものとして説明したが、本発明はこれに限定されるものではなく、所定のタイミング（例えば、基本記憶装置からの通信を確認した時など）で第２の停止要求信号を再度無効にするようにしてもよい。
【００７５】
（４）増設記憶装置の接続
上記の実施例では、基本記憶装置に対して増設記憶装置を直列に接続して構成される記憶装置として説明したが、本発明はこれに限定されるものではなく、基本記憶装置に対して増設記憶装置を並列に接続する構成であってもよい。
【００７６】
（５）システム構成等
また、図示した各装置の各構成要素は機能概念的なものであり、必ずしも物理的に図示の如く構成されていることを要しない。すなわち、各装置の分散・統合の具体的形態は図示のものに限られず、例えば、作動停止処理部１２０と、起動処理部１２５とを統合するなど、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００７７】
（付記１）外部からのアクセスを制御する制御部と記憶媒体とを備えた基本記憶装置に、記憶媒体を増設する増設記憶装置を接続して構成される記憶装置であって、
前記増設記憶装置は、
前記基本記憶装置から自装置に対して出力された第１の作動停止要求を受け付ける第一要求受付手段と、
前記第一要求受付手段が受け付ける第１の作動停止要求とは異なる第２の作動停止要求を受け付ける第二要求受付手段と、
上流側に接続された前記基本記憶装置または他の前記増設記憶装置からの通信を監視する通信監視手段と、
前記第一要求受付手段が第１の作動停止要求を受け付けた場合に、自装置の作動停止処理を行う作動停止処理手段と、
を備え、
前記作動停止処理手段は、前記通信監視手段による監視結果に基づいて前記第二要求受付手段が受け付けた第２の作動停止要求の有効無効を判定し、前記第二要求受付手段が有効な第２の作動停止要求を受け付けた場合に、自装置の作動停止処理を行うことを特徴とする記憶装置。
【００７８】
（付記２）前記通信監視手段は、上流側に接続された前記基本記憶装置または他の前記増設記憶装置からの通信がない状態が一定時間以上続いたか否かを監視し、
前記作動停止処理手段は、前記通信監視手段による監視の結果、前記通信がない状態が一定時間以上続いた場合に、前記第二要求受付手段が受け付けた第２の作動停止要求を有効と判定することを特徴とする付記１に記載の記憶装置。
【００７９】
（付記３）前記通信監視手段による監視結果に基づいて、上流側に接続された前記基本記憶装置または他の前記増設記憶装置からの通信がない状態が一定時間以上続いた場合には、前記基本記憶装置に対して応答要求を行う応答要求手段をさらに備え、
前記作動停止処理手段は、前記応答要求手段による応答要求の結果、前記基本記憶装置からの応答がない場合に、前記第二要求受付手段が受け付けた第２の作動停止要求を有効と判定することを特徴とする付記１に記載の記憶装置。
【００８０】
（付記４）前記作動停止処理手段は、前記通信監視手段による監視結果に基づいて前記第二要求受付手段が受け付ける作動停止要求を有効と判定した後、所定時間以内に前記第二要求受付手段が第２の作動停止要求を受け付けない場合には、自装置の作動停止処理を行うことを特徴とする付記１、２または３に記載の記憶装置。
【００８１】
（付記５）前記通信監視手段は、前記制御部から所定のタイミングで送信されるコマンドの受信状況を監視し、
前記作動停止処理手段は、前記通信監視手段による監視の結果、前記コマンドが受信されなかった場合に、前記第二要求受付手段が受け付けた第２の作動停止要求を有効と判定することを特徴とする付記１〜４のいずれか一つに記載の記憶装置。
【００８２】
（付記６）外部からのアクセスを制御する制御部と記憶媒体とを備えた基本記憶装置に、記憶媒体を増設する増設記憶装置を接続して構成される記憶装置において作動中の前記増設記憶装置を停止する停止方法であって、
前記基本記憶装置から自装置に対して出力された第１の作動停止要求を受け付ける第一要求受付工程と、
前記第一要求受付工程において受け付ける第１の作動停止要求とは異なる第２の作動停止要求を受け付ける第二要求受付工程と、
上流側に接続された前記基本記憶装置または他の前記増設記憶装置からの通信を監視する通信監視工程と、
前記第一要求受付工程において第１の作動停止要求を受け付けた場合に、自装置の作動停止処理を行う作動停止処理工程と、
を含み、
前記作動停止処理工程では、前記通信監視工程における監視結果に基づいて前記第二要求受付工程で受け付ける第２の作動停止要求の有効無効を判定し、前記第二要求受付工程において有効な第２の作動停止要求を受け付けた場合に、自装置の作動停止処理を行うことを特徴とする停止方法。
【００８３】
（付記７）前記通信監視工程では、上流側に接続された前記基本記憶装置または他の前記増設記憶装置からの通信がない状態が一定時間以上続いたか否かを監視し、
前記作動停止処理工程では、前記通信監視工程における監視の結果、前記通信がない状態が一定時間以上続いた場合に、前記第二要求受付工程で受け付けた第２の作動停止要求を有効と判定することを特徴とする付記６に記載の停止方法。
【００８４】
（付記８）前記通信監視工程における監視結果に基づいて、上流側に接続された前記基本記憶装置または他の前記増設記憶装置からの通信がない状態が一定時間以上続いた場合には、前記基本記憶装置に対して応答要求を行う応答要求工程をさらに含み、
前記作動停止処理工程では、前記応答要求工程において応答要求を行った結果、前記基本記憶装置からの応答がない場合に、前記第二要求受付工程で受け付けた第２の作動停止要求を有効と判定することを特徴とする付記６に記載の停止方法。
【００８５】
（付記９）前記作動停止処理工程では、前記通信監視工程における監視結果に基づいて前記第二要求受付工程で受け付ける作動停止要求を有効と判定した後、所定時間以内に前記第二要求受付工程において第２の作動停止要求を受け付けない場合には、自装置の作動停止処理を行うことを特徴とする付記６、７または８に記載の停止方法。
【００８６】
（付記１０）外部からのアクセスを制御する制御部と記憶媒体とを備えた基本記憶装置に対して、記憶媒体を増設する際に接続する増設記憶装置であって、
前記基本記憶装置から自装置に対して出力された作動停止要求を受け付ける第一要求受付手段と、
前記第一要求受付手段が受け付ける作動停止要求とは異なる第２の作動停止要求を受け付ける第二要求受付手段と、
上流側に接続された前記基本記憶装置または他の増設記憶装置からの通信を監視する通信監視手段と、
前記第一要求受付手段が作動停止要求を受け付けた場合に、自装置の作動停止処理を行う作動停止処理手段と、
を備え、
前記作動停止処理手段は、前記通信監視手段による監視結果に基づいて前記第二要求受付手段が受け付けた作動停止要求の有効無効を判定し、前記第二要求受付手段が有効な作動停止要求を受け付けた場合に、自装置の作動停止処理を行うことを特徴とする増設記憶装置。
【産業上の利用可能性】
【００８７】
以上のように、本発明に係る記憶装置および当該記憶装置において作動中の増設記憶装置を停止する停止方法は、記憶装置が、外部からのアクセスを制御する制御部と記憶媒体とを備えた基本記憶装置に、記憶媒体を増設する増設記憶装置を接続して構成される場合に有用であり、特に基本記憶装置が故障した場合であっても、作動中の増設記憶装置を停止することに適する。
【図面の簡単な説明】
【００８８】
【図１】実施例１に係る記憶装置の構成を示すブロック図である。
【図２】作動中の２装置間で行われる処理の例を説明するための図である。
【図３】作動中の２装置間で行われる処理の例を説明するための図である。
【図４】増設記憶装置の起動および停止に係る処理の流れを示すフローチャートである。
【図５】故障判定処理の流れの一例を示すフローチャートである。
【図６】故障判定処理の流れの一例を示すフローチャートである。
【図７】故障判定処理の流れの一例を示すフローチャートである。
【図８】故障判定処理の流れの一例を示すフローチャートである。
【符号の説明】
【００８９】
１０  記憶装置
２０  基本記憶装置
３０  第１増設記憶装置
３１  第２増設記憶装置
３２  第３増設記憶装置
４０、９０  記憶部
５０  起動／停止ボタン
６０  総合管理部
６１  起動／作動停止処理部
７０  アクセス処理部
８０、１５０  接続切替部
１００  停止ボタン
１１０  管理部
１１５  作動停止指示第二受付部
１２０  作動停止処理部
１２５  起動処理部
１３０  作動停止指示第一受付部
１４０  通信状況監視部
【図１】
0004414452.tif 000002
【図２】
0004414452.tif 000003
【図３】
0004414452.tif 000004
【図４】
0004414452.tif 000005
【図５】
0004414452.tif 000006
【図６】
0004414452.tif 000007
【図７】
0004414452.tif 000008
【図８】
0004414452.tif 000009